(57)【要約】【課題】  安定点灯時の点灯条件の履歴を考慮して点灯開始から安定点灯に至るまでのランプ電圧の上昇を抑えて、ランプの長寿命化や、アークジャンプの発生抑制を可能にした放電灯点灯装置および画像表示装置を提供する。【解決手段】  降圧チョッパ回路１と、降圧チョッパ回路１の出力を矩形波交番電圧に変換して放電ランプＬａに印加する極性反転回路２とからなる電力変換回路と、前回の点灯時における電力変換回路の出力の履歴を記憶するメモリ部４１ｆとを有し、制御回路４は、降圧チョッパ回路１、極性反転回路２のスイッチング素子Ｑ１〜Ｑ５のオン・オフを制御することによって、メモリ部４１ｆの履歴に基づいて、点灯開始から安定点灯に達するまでの所定期間に電力変換回路の出力を変化させることで、ランプ電圧Ｖｌａの上昇を抑制する。【選択図】図１
2008159469.tif 000002
【特許請求の範囲】
【請求項１】
スイッチング素子をオン・オフすることによって、放電ランプに交流電力を供給する電力変換回路と、
電力変換回路のスイッチング素子のオン・オフを制御することによって、電力変換回路の出力を制御し、点灯開始後、ランプ電流が制限電流を超えないように制御する電流制限領域からランプ電力を一定に制御する定電力制御領域に移行させる制御回路と、
前回の放電ランプの安定点灯時における電力変換回路の出力の履歴を記憶する記憶手段と、
を備え、
制御回路は、記憶手段の履歴に基づいて、放電ランプの点灯開始から安定点灯に達するまでの所定期間に電力変換回路の出力を変化させることで、ランプ電圧の上昇を抑制する
ことを特徴とする放電灯点灯装置。
【請求項２】
前記制御回路は、前記記憶手段の履歴に基づいて、点灯開始から安定点灯に達するまでの所定期間に、電力変換回路の出力による放電ランプの点灯周波数を、前回の安定点灯時における点灯周波数より高くすることを特徴とする請求項１記載の放電灯点灯装置。
【請求項３】
前記制御回路は、前記記憶手段の履歴に基づいて、点灯開始から安定点灯に達するまでの所定期間に、電力変換回路が出力するランプ電流の実効値を前記電流制限領域の制限電流より小さくすることを特徴とする請求項１記載の放電灯点灯装置。
【請求項４】
前記制御回路は、前記記憶手段の履歴に基づいて、点灯開始から安定点灯に達するまでの所定期間に、電力変換回路の出力による放電ランプの点灯周波数を、前回の安定点灯時における点灯周波数より高くし、電力変換回路が出力するランプ電流の実効値を前記電流制限領域の制限電流より小さくすることを特徴とする請求項１記載の放電灯点灯装置。
【請求項５】
前記制御回路は、放電ランプの点灯周波数を、前回の安定点灯時における点灯周波数より高くする前に、前回の安定点灯時における点灯周波数より低くする期間を設けることを特徴とする請求項２または４記載の放電灯点灯装置。
【請求項６】
請求項１乃至５いずれか記載の放電灯点灯装置と、当該放電灯点灯装置によって点灯される放電ランプと、放電ランプからの光を透過または反射して、当該透過光または反射光をスクリーンに投射する光学手段とを備えたことを特徴とする画像表示装置。
【発明の詳細な説明】
【技術分野】
【０００１】
本発明は、放電灯点灯装置およびこれを用いた画像表示装置に関するものである。
【背景技術】
【０００２】
プロジェクタやリアプロジェクションテレビ等の画像表示装置の高輝度高圧放電ランプを点灯させるための放電灯点灯装置があり、近年、放電灯点灯装置の点灯開始後の制御として、アークジャンプの抑制や、光量の早い立ち上げや、ランプの長寿命化を図るために、点灯周波数を可変とするものや（例えば、特許文献１，２参照）、ランプ電流を可変とするものがある（例えば、特許文献３，４参照）。
【０００３】
また、ランプの点灯開始から安定点灯に至るまでのランプへの出力制御は、図２５（ａ）〜（ｃ）に示すように、ランプ電圧Ｖｌａが所定電圧に達するまでは、ランプ電流Ｉｌａが制限電流Ｉ０を超えないように定電流制御を行い、ランプ電圧Ｖｌａが所定電圧に達してから以後は、ランプ電力Ｐｌａを一定に制御する定電力制御に移行するのが一般的である。また、調光点灯（Ｄｉｍ点灯）時の点灯周波数ｆａは、定格点灯（Ｆｕｌｌ点灯）時の点灯周波数ｆａより高くなる。そして、定電力制御に移行してある程度時間が経過すると、ランプ電圧Ｖｌａ、ランプ電流Ｉｌａ等が安定する安定点灯状態となる。
【特許文献１】特開２００５−１９７１８１号公報
【特許文献２】特開２００６−１５６１６８号公報
【特許文献３】特開２００５−３２７１１号公報
【特許文献４】特開２００６−１４７３６３号公報
【発明の開示】
【発明が解決しようとする課題】
【０００４】
しかしながら、上記従来の放電灯点灯装置は、ランプの点灯開始時に前回の安定点灯時におけるランプ電極の状態について考慮していないため、ランプ電圧Ｖｌａが大きく上昇することがある。例えば、定格３００Ｗの放電ランプを、安定点灯時に点灯周波数１２０Ｈｚ（３００Ｗ）点灯させ、次の点灯開始時に、前回の安定点灯時より低い点灯周波数９０Ｈｚ（３００Ｗ）で点灯させると、ランプ電圧Ｖｌａが上昇してしまう。また、安定点灯時に調光２５０Ｗで点灯させ、次の点灯開始時に定格の３００Ｗで点灯させると、安定点灯時のランプ電圧Ｖｌａが上昇してしまう。
【０００５】
このように、前回の安定点灯時の点灯条件によっては、点灯開始から安定点灯に至るまでのランプ電圧Ｖｌａが上昇する現象が発生してしまうが、ランプ電圧Ｖｌａが上昇してしまう現象は好ましくない。プロジェクタやリアプロジェクションテレビ等の画像表示装置に用いられる超高圧水銀灯は、初期から寿命末期になるにつれてランプ電圧Ｖｌａが上昇する傾向があり、放電灯点灯装置では、寿命末期でのランプの破裂を防止するために、ランプ電圧Ｖｌａが所定の電圧に達すると点灯させないように制御している。したがって、ランプ電圧Ｖｌａが上昇すると、ランプの使用可能期間が短くなってしまう。
【０００６】
また、定格ランプ電圧の近傍では、定電力制御を行うため、ランプ電圧Ｖｌａが上昇すると、ランプ電流Ｉｌａが減少する。ランプ電流Ｉｌａが減少すると、電極温度が低下して、アークジャンプが発生しやすくなる。
【０００７】
本発明は、上記事由に鑑みてなされたものであり、その目的は、安定点灯時の点灯条件の履歴を考慮して点灯開始から安定点灯に至るまでのランプ電圧の上昇を抑えて、ランプの長寿命化や、アークジャンプの発生抑制を可能にした放電灯点灯装置および画像表示装置を提供することにある。
【課題を解決するための手段】
【０００８】
請求項１の発明は、スイッチング素子をオン・オフすることによって、放電ランプに交流電力を供給する電力変換回路と、電力変換回路のスイッチング素子のオン・オフを制御することによって、電力変換回路の出力を制御し、点灯開始後、ランプ電流が制限電流を超えないように制御する電流制限領域からランプ電力を一定に制御する定電力制御領域に移行させる制御回路と、前回の放電ランプの安定点灯時における電力変換回路の出力の履歴を記憶する記憶手段とを備え、制御回路は、記憶手段の履歴に基づいて、放電ランプの点灯開始から安定点灯に達するまでの所定期間に電力変換回路の出力を変化させることで、ランプ電圧の上昇を抑制することを特徴とする。
【０００９】
この発明によれば、放電灯点灯装置において、安定点灯時の点灯条件の履歴を考慮して電力変換回路の出力を最適に制御でき、点灯開始から安定点灯に至るまでのランプ電圧の上昇を抑えて、ランプの長寿命化や、アークジャンプの発生抑制が可能になる。
【００１０】
請求項２の発明は、請求項１において、前記制御回路は、前記記憶手段の履歴に基づいて、点灯開始から安定点灯に達するまでの所定期間に、電力変換回路の出力による放電ランプの点灯周波数を、前回の安定点灯時における点灯周波数より高くすることを特徴とする。
【００１１】
この発明によれば、点灯開始から安定点灯に達するまでの所定期間に設定する点灯周波数を、安定点灯時の点灯条件の履歴を考慮して最適に制御でき、さらに上記所定期間での点灯周波数を、前回の安定点灯時の点灯周波数より高くすることで、点灯開始から安定点灯に至るまでのランプ電圧の上昇を抑えて、ランプの長寿命化を可能にし、さらに定電力領域では、ランプ電圧の上昇によるランプ電流の減少が発生しないので、電極温度が低下することなく、アークジャンプの発生抑制が可能となる。また、電流制限領域ではランプ電流の半周期の時間が短くなることで、陽極時の電極の過度の温度上昇を抑制できる。したがって、安定点灯時の点灯条件の履歴を考慮して電力変換回路の出力を最適に制御でき、点灯開始から安定点灯に至るまでのランプ電圧の上昇を抑えて、ランプの長寿命化や、アークジャンプの発生抑制が可能になる。
【００１２】
請求項３の発明は、請求項１において、前記制御回路は、前記記憶手段の履歴に基づいて、点灯開始から安定点灯に達するまでの所定期間に、電力変換回路が出力するランプ電流の実効値を前記電流制限領域の制限電流より小さくすることを特徴とする。
【００１３】
この発明によれば、点灯開始から安定点灯に達するまでの所定期間に設定するランプ電流の実効値を、安定点灯時の点灯条件の履歴を考慮して最適に制御でき、さらに上記所定期間でのランプ電流の実効値を、電流制限領域の制限電流より小さくすることで、点灯開始から安定点灯に至るまでのランプ電圧の上昇を抑えて、ランプの長寿命化を可能にし、さらに定電力領域では、ランプ電圧の上昇によるランプ電流の減少が発生しないので、電極温度が低下することなく、アークジャンプの発生抑制が可能となる。また、電流制限領域では電極の過度の温度上昇を抑制できる。したがって、安定点灯時の点灯条件の履歴を考慮して電力変換回路の出力を最適に制御でき、点灯開始から安定点灯に至るまでのランプ電圧の上昇を抑えて、ランプの長寿命化や、アークジャンプの発生抑制が可能になる。
【００１４】
請求項４の発明は、請求項１において、前記制御回路は、前記記憶手段の履歴に基づいて、点灯開始から安定点灯に達するまでの所定期間に、電力変換回路の出力による放電ランプの点灯周波数を、前回の安定点灯時における点灯周波数より高くし、電力変換回路が出力するランプ電流の実効値を前記電流制限領域の制限電流より小さくすることを特徴とする。
【００１５】
この発明によれば、点灯開始から安定点灯に達するまでの所定期間に設定する点灯周波数およびランプ電流の実効値を、安定点灯時の点灯条件の履歴を考慮して最適に制御でき、さらに上記所定期間での点灯周波数を、前回の安定点灯時の点灯周波数より高くし、上記所定期間でのランプ電流の実効値を、電流制限領域の制限電流より小さくすることで、点灯開始から安定点灯に至るまでのランプ電圧の上昇を抑えて、ランプの長寿命化を可能にし、さらに定電力領域では、ランプ電圧の上昇によるランプ電流の減少が発生しないので、電極温度が低下することなく、アークジャンプの発生抑制が可能となる。また、電流制限領域では電極の過度の温度上昇を抑制できる。したがって、安定点灯時の点灯条件の履歴を考慮して電力変換回路の出力を最適に制御でき、点灯開始から安定点灯に至るまでのランプ電圧の上昇を抑えて、ランプの長寿命化や、アークジャンプの発生抑制が可能になる。また、点灯周波数の制御とランプ電流の実効値の制御とを組み合わせることで、ランプ電流を多く流すことができ、光束の立ち上がりの速度を確保することができる。
【００１６】
請求項５の発明は、請求項２または４において、前記制御回路は、放電ランプの点灯周波数を、前回の安定点灯時における点灯周波数より高くする前に、前回の安定点灯時における点灯周波数より低くする期間を設けることを特徴とする。
【００１７】
この発明によれば、点灯開始直後の期間はランプ電圧の上昇に起因しないので、この期間の点灯周波数を低くすることで、電極の温度上昇を促進して光束の立ち上がり速度を速くすることができる。
【００１８】
請求項６の発明は、請求項１乃至５いずれか記載の放電灯点灯装置と、当該放電灯点灯装置によって点灯される放電ランプと、放電ランプからの光を透過または反射して、当該透過光または反射光をスクリーンに投射する光学手段とを備えたことを特徴とする。
【００１９】
この発明によれば、画像表示装置において、安定点灯時の点灯条件の履歴を考慮して点灯開始から安定点灯に至るまでのランプ電圧の上昇を抑えて、ランプの長寿命化や、アークジャンプの発生抑制が可能となる。したがって、アークジャンプの発生が抑えられて画像品質が向上し、さらにランプ寿命が長くなるので、ランプの交換回数が少なくなる。
【発明の効果】
【００２０】
以上説明したように、本発明では、安定点灯時の点灯条件の履歴を考慮して点灯開始から安定点灯に至るまでのランプ電圧の上昇を抑えて、ランプの長寿命化や、アークジャンプの発生抑制が可能になるという効果がある。
【発明を実施するための最良の形態】
【００２１】
以下、本発明の実施の形態を図面に基づいて説明する。
【００２２】
（実施形態１）
図１は、本実施形態の放電灯点灯装置の回路構成を示し、直流電源Ｅを電源とする降圧チョッパ回路１と、降圧チョッパ回路１から出力される直流電圧を矩形波交番電圧に変換して放電ランプＬａに印加する極性反転回路２とからなる電力変換回路を有し、放電ランプＬａのランプ電圧Ｖｌａを検出するランプ電圧検出回路３と、電力変換回路に設けたスイッチング素子Ｑ１〜Ｑ５のオン・オフを制御する制御回路４とを備える。
【００２３】
降圧チョッパ回路１は、直流電源Ｅの正極がスイッチング素子Ｑ１、インダクタＬ１を介してコンデンサＣ１の正極に接続され、コンデンサＣ１の負極は電流検出用の抵抗Ｒ１を介して直流電源Ｅ１の負極に接続されている。コンデンサＣ１の両端には、インダクタＬ１を介して回生電流通電用のダイオードＤ１が接続されている。
【００２４】
スイッチング素子Ｑ１は、制御回路４に設けられたＰＷＭ制御回路４２の出力によって高周波でオン・オフ駆動され、スイッチング素子Ｑ１がオンのとき、直流電源Ｅからスイッチング素子Ｑ１、インダクタＬ１、コンデンサＣ１、抵抗Ｒ１を介してチョッパ電流が流れる。抵抗Ｒ１はこのチョッパ電流に比例した両端電圧を電流検出信号Ｙｉとして出力しており、ＰＷＭ制御回路４２は、電流検出信号Ｙｉに基づいて、チョッパ電流が所定値を超えるとスイッチング素子Ｑ１をオフするように制御し、スイッチング素子Ｑ１がオフのとき、インダクタＬ１、コンデンサＣ１、ダイオードＤ１を介して回生電流が流れる。このような動作によって、直流電源Ｅの出力を降圧した直流電圧がコンデンサＣ１に充電される。また、ＰＷＭ制御回路４２によってスイッチング素子Ｑ１のオンデューティ（スイッチングの１周期におけるオン時間の割合）を可変とすることによって、コンデンサＣ１の充電電圧を制御できる。なお、直流電源Ｅ１は、例えば商用電源を整流、平滑した出力、または商用電源の全波整流電圧を昇圧する昇圧チョッパ回路の出力であってもよい。
【００２５】
極性反転回路２は、コンデンサＣ１の両端間に並列接続したスイッチング素子Ｑ２，Ｑ３の直列回路とスイッチング素子Ｑ４，Ｑ５の直列回路と、スイッチング素子Ｑ２，Ｑ３を交互にオン・オフ駆動するドライブ回路２１と、スイッチング素子Ｑ４，Ｑ５を交互にオン・オフ駆動するドライブ回路２２とを備えるフルブリッジ形のインバータ回路で構成され、スイッチング素子Ｑ２，Ｑ３の接続点とスイッチング素子Ｑ４，Ｑ５の接続点との間には、共振回路を構成するインダクタＬ２とコンデンサＣ２との直列回路が接続され、コンデンサＣ２の両端間には放電ランプＬａが接続されている。
【００２６】
ドライブ回路２１，２２は、制御回路４に設けられたフルブリッジ制御回路４３によって、スイッチング素子Ｑ２，Ｑ５がオン且つスイッチング素子Ｑ３，Ｑ４がオフの状態と、スイッチング素子Ｑ２，Ｑ５がオフ且つスイッチング素子Ｑ３，Ｑ４がオンの状態とが交互に繰り返すようにスイッチング素子Ｑ２〜Ｑ５を駆動し、矩形波交番電圧を放電ランプＬａに印加する。
【００２７】
始動時には、スイッチング素子Ｑ２〜Ｑ５が高周波（１ＫＨｚ以上、１０秒以内）でスイッチングし、インダクタＬ２とコンデンサＣ２との共振作用によって放電ランプＬａに高周波の高電圧が印加されて絶縁破壊を起こすとともに、グロー放電からアーク放電に移行させるためのエネルギーが供給される。この始動動作は、別に設けたイグナイタ回路によって高電圧を放電ランプＬａに印加する構成でもよい。点灯開始後は、スイッチング素子Ｑ２〜Ｑ５が低周波（１ＫＨｚ以下）でスイッチングして、コンデンサＣ１の電圧が低周波で交互に極性反転して放電ランプＬａに印加される。
【００２８】
ランプ電圧検出回路３は、コンデンサＣ１の電圧を分圧する抵抗Ｒ２，Ｒ３の直列回路を備え、抵抗Ｒ３の両端電圧がランプ電圧検出信号Ｙｖとして出力される。
【００２９】
制御回路４は、電流検出信号Ｙｉおよびランプ電圧検出信号Ｙｖによって、チョッパ電流およびランプ電圧を監視し、スイッチング素子Ｑ１〜Ｑ５のオン・オフを制御するための制御信号を出力するもので、制御回路４の動作を制御するマイクロコンピュータ４１（以後、マイコン４１と称し、例えば、ルネサステクノロジ製のＲ８Ｃ／１１を用いる）と、マイコン４１からの指令に基づいて、降圧チョッパ回路１のスイッチング素子Ｑ１の動作を制御するＰＷＭ制御回路４２と、マイコン４１からの指令に基づいて、極性反転回路２のスイッチング素子Ｑ２〜Ｑ５の動作を制御するフルブリッジ制御回路４３とを備える。
【００３０】
マイコン４１は、点灯周波数設定部４１ａと、電力制御用基準信号生成部４１ｂと、データテーブル４１ｃと、Ａ／Ｄ変換部４１ｄと、時間計測処理部４１ｅと、メモリ部４１ｆとを備える。Ａ／Ｄ変換部４１ｄは、ランプ電圧検出回路３からのランプ電圧検出信号Ｙｖをデジタル信号に変換して、点灯周波数設定部４１ａ、電力制御用基準信号生成部４１ｂ、メモリ部４１ｆに出力する。
【００３１】
点灯周波数設定部４１ａは、ランプ電圧検出信号Ｙｖや、データテーブル４１ｃ、メモリ部４１ｆに格納している各データや、時間計測処理部４１ｅで計時した時間に基づいて、極性反転回路２のスイッチング素子Ｑ２〜Ｑ５のスイッチング周波数（点灯周波数）を決定して、このスイッチング周波数に応じたインバータ制御信号Ｙｆ１，Ｙｆ２をフルブリッジ制御回路４３へ出力する。フルブリッジ制御回路４３は、インバータ制御信号Ｙｆ１，Ｙｆ２で指示されるスイッチング周波数で、極性反転回路２のスイッチング素子Ｑ２〜Ｑ５をオン・オフ駆動するように、ドライブ回路２１，２２を制御する。
【００３２】
電力制御用基準信号生成部４１ｂは、ランプ電圧検出信号Ｙｖに基づいてＰＷＭ信号Ｙｍ１を出力する。ＰＷＭ信号Ｙｍ１は、ランプ電流の実効値Ｉｌａ（以降、ランプ電流Ｉｌａと称す）が所望の値となるようにデューティを設定されており、抵抗Ｒ４とコンデンサＣ３よりなるフィルタ回路によって平滑されて、当該直流電圧がチョッパ制御基準信号Ｙｐ１としてＰＷＭ制御回路４２に入力される。そして、ＰＷＭ制御回路４２は、チョッパ制御基準信号Ｙｐ１と電流検出信号Ｙｉとに基づいて、降圧チョッパ回路１のスイッチング素子Ｑ１をオン・オフ駆動する。なお、マイコン４１がＤ／Ａ変換機能を備えていれば、マイコン４１でチョッパ制御基準信号Ｙｐ１を生成して出力すればよい。
【００３３】
そして、電力制御用基準信号生成部４１ｂは、始動時（スイッチング素子Ｑ２〜Ｑ５の高周波動作時）には、放電ランプＬａを絶縁破壊して、絶縁破壊後には所定の高周波電流を供給することが可能な電圧にコンデンサＣ１の電圧を設定する。点灯開始後（スイッチング素子Ｑ２〜Ｑ５の低周波動作時）は、ランプ電流Ｉｌａが所望の波形となるように、コンデンサＣ１の電圧が最適化される。
【００３４】
次に、制御回路４による、点灯開始から安定点灯に至るまでのランプ電圧Ｖｌａの上昇抑制制御について説明する。まず、安定点灯している放電ランプＬａを消灯させるとき、消灯直前の放電ランプＬａのランプ電力Ｐｌａ、ランプ電圧Ｖｌａ、点灯周波数ｆａ、当該各条件での点灯時間Ｔａを、フラッシュメモリやＥＥＰＲＯＭ等のメモリ部４１ｆに格納する。さらに、ランプ電力Ｐｌａ、ランプ電圧Ｖｌａ、点灯周波数ｆａが安定点灯中に変更された場合にも、変更前の各点灯条件をメモリ部４１ｆに格納する。このように、メモリ部４１ｆには、安定点灯時の点灯条件の履歴が格納されている。なお、メモリ部４１ｆは、マイコン４１に内蔵されたものでもよいし、またマイコン４１に外付けしたものでもよい。
【００３５】
そして、ランプ点灯開始から安定点灯に至るまでのランプへの出力制御は、ランプ電圧Ｖｌａが所定電圧に達するまでは、ランプ電流Ｉｌａが制限電流Ｉ０を超えないように定電流制御を行い、ランプ電圧Ｖｌａが所定電圧に達してから以後は、ランプ電力Ｐｌａを一定に制御する定電力制御に移行するのであるが、本実施形態では、点灯開始から安定点灯に達するまでの所定期間において、点灯周波数設定部４１ａが、メモリ部４１ｆに格納している前回の安定点灯時の点灯条件に基づいて、点灯周波数ｆａを前回の安定点灯時の点灯周波数より高くしている。したがって、安定点灯に達するまでに点灯周波数ｆａを高くする期間を設けて、ランプ電圧Ｖｌａの上昇を抑制しており、この動作を実現する第１の構成〜第３の構成について、以下説明する。なお、上記所定期間は、少なくとも定電流制御領域の一部を含むものとする。
【００３６】
（第１の構成）
第１の構成において、データテーブル４１ｃには、図２に示すように、前回の安定点灯時（消灯前）のランプ電力Ｐｌａと今回の点灯開始時のランプ電力Ｐｌａとの変動パターンに対応して、点灯開始から安定点灯に達するまでの所定期間の点灯周波数ｆｆ１，ｆｆ２，ｆｄ１，ｆｄ２を予め格納しており、点灯周波数設定部４１ａは、このデータテーブル４１ｃを参照して、上記所定期間の点灯周波数ｆａの値を設定し、下記（１）〜（４）の制御を行う（図３参照）。なお、前回の安定点灯時において、点灯電力Ｐｌａ＝定格電力Ｐｆのときの点灯周波数ｆａ＝ｆｆ０、点灯電力Ｐｌａ＝調光電力Ｐｄのときの点灯周波数ｆａ＝ｆｄ０とする（但し、Ｐｆ＞Ｐｄ）。
【００３７】
（１）前回の安定点灯時のランプ電力Ｐｌａ＝定格電力Ｐｆで、今回の点灯開始時にランプ電力Ｐｌａ＝定格電力Ｐｆとした場合、点灯開始から安定点灯に達するまでの所定期間において、点灯周波数ｆａ＝ｆｆ１（但し、ｆｆ１＞ｆｆ０）に上昇させ、点灯開始から安定点灯に達するまでの他の期間に比べて点灯周波数ｆａを一時的に高くする。
【００３８】
（２）前回の安定点灯時のランプ電力Ｐｌａ＝定格電力Ｐｆで、今回の点灯開始時にランプ電力Ｐｌａ＝調光電力Ｐｄとした場合、点灯開始から安定点灯に達するまでの所定期間において、点灯周波数ｆａ＝ｆｄ１（但し、ｆｄ１＞ｆｆ０）に上昇させ、点灯開始から安定点灯に達するまでの他の期間に比べて点灯周波数ｆａを一時的に高くする。
【００３９】
（３）前回の安定点灯時のランプ電力Ｐｌａ＝調光電力Ｐｄで、今回の点灯開始時にランプ電力Ｐｌａ＝調光電力Ｐｄとした場合、点灯開始から安定点灯に達するまでの所定期間において、点灯周波数ｆａ＝ｆｄ２（但し、ｆｄ２＞ｆｄ０）に上昇させ、点灯開始から安定点灯に達するまでの他の期間に比べて点灯周波数ｆａを一時的に高くする。
【００４０】
（４）前回の安定点灯時のランプ電力Ｐｌａ＝調光電力Ｐｄで、今回の点灯開始時にランプ電力Ｐｌａ＝定格電力Ｐｆとした場合、点灯開始から安定点灯に達するまでの所定期間において、点灯周波数ｆａ＝ｆｆ２（但し、ｆｆ２＞ｆｄ０）に上昇させ、点灯開始から安定点灯に達するまでの他の期間に比べて点灯周波数ｆａを一時的に高くする。
【００４１】
また、図３に示すように上記周波数ｆｆ１，ｆｆ２，ｆｄ１，ｆｄ２を全て異なる周波数に設定する必要はなく、ランプ電圧Ｖｌａの上昇を抑制する周波数に適宜設定すればよい。さらに、本実施形態では、電力切替を定格電力Ｐｆと調光電力Ｐｄとの２段階にしているが、３段階以上の多段階調光や、連続調光の場合も、前回の安定点灯時のランプ電力Ｐｌａと今回の点灯開始時のランプ電力Ｐｌａとの変動パターンに対応して、上記所定期間の点灯周波数を設定すればよい。
【００４２】
（第２の構成）
第２の構成では、前回の安定点灯時のランプ電圧Ｖｌａに基づいて、点灯開始から安定点灯に達するまでの所定期間の点灯周波数ｆａを設定し、さらに当該所定期間をランプ電圧Ｖｌａで設定しており、その動作を図４、図５に示す。
【００４３】
データテーブル４１ｃには、図６に示すように、前回の安定点灯時（消灯前）のランプ電圧Ｖｌａをその大きさによってｎ段階に分けて（Ｖ１〜Ｖ２、Ｖ２〜Ｖ３、．．．．．．、Ｖｎ〜Ｖｎ＋１）、各段階に対応して上記所定期間の点灯周波数ｆ１〜ｆｎを予め格納している。点灯周波数ｆ１〜ｆｎは、さらに今回の点灯開始時の点灯電力Ｐｌａ＝定格電力Ｐｆのときの点灯周波数ｆｆ１〜ｆｆｎと、今回の点灯開始時の点灯電力Ｐｌａ＝調光電力Ｐｄのときの点灯周波数ｆｄ１〜ｆｄｎとに分けられる。
【００４４】
点灯周波数設定部４１ａは、データテーブル４１ｃを参照して、前回の安定点灯時のランプ電圧Ｖｌａに対応する点灯周波数ｆ１〜ｆｎから、上記所定期間の点灯周波数ｆａを選択する。この点灯周波数ｆ１〜ｆｎは、図４に示すように、前回の安定点灯時の点灯周波数ｆ０より高くなるように設定されている。また、ｎ段階に分けたランプ電圧Ｖｌａの各範囲は、Ａ／Ｄ変換部４１ｄの１ビット単位毎に設定してもよく、または数ビット〜数百ビット毎に設定してもよい。
【００４５】
そして、点灯周波数設定部４１ａは、このデータテーブル４１ｃを参照して下記（１）〜（４）の制御を行う（図５参照）。なお、図５（ａ）は、ランプ電圧Ｖｌａとランプ電力Ｐｌａとの関係を、定格点灯（Ｆｕｌｌ点灯）時と、調光点灯（Ｄｉｍ点灯）時との各々について示し、点灯開始からランプ電圧Ｖｌａが上昇して、所定電圧で定電流制御から定電力制御に移行している。
【００４６】
（１）前回の安定点灯時のランプ電力Ｐｌａ＝定格電力Ｐｆで、今回の点灯開始時にランプ電力Ｐｌａ＝定格電力Ｐｆとした場合、前回の安定点灯時のランプ電圧Ｖｌａに基づいて、データテーブル４１ｃを参照して点灯周波数ｆａ２を選択し、図５（ｂ）に示すように、今回の安定点灯時の点灯周波数ｆａ１を設定して、点灯開始からランプ電圧Ｖｌａが上昇しているときに、ランプ電圧Ｖｌａ＝Ｖｌａ１〜Ｖｌａ２となる期間で、点灯周波数ｆａを、点灯周波数ｆａ１より高いｆａ２に設定する。
【００４７】
（２）前回の安定点灯時のランプ電力Ｐｌａ＝調光電力Ｐｄで、今回の点灯開始時にランプ電力Ｐｌａ＝調光電力Ｐｄとした場合、前回の安定点灯時のランプ電圧Ｖｌａに基づいて、データテーブル４１ｃを参照して点灯周波数ｆａ４を選択し、図５（ｃ）に示すように、今回の安定点灯時の点灯周波数ｆａ３を設定して、点灯開始からランプ電圧Ｖｌａが上昇しているときに、ランプ電圧Ｖｌａ＝Ｖｌａ３〜Ｖｌａ４となる期間で、点灯周波数ｆａを、点灯周波数ｆａ３より高いｆａ４に設定する。
【００４８】
（３）前回の安定点灯時のランプ電力Ｐｌａ＝調光電力Ｐｄで、今回の点灯開始時にランプ電力Ｐｌａ＝定格電力Ｐｆとした場合、前回の安定点灯時のランプ電圧Ｖｌａに基づいて、データテーブル４１ｃを参照して点灯周波数ｆａ５を選択し、図５（ｄ）に示すように、今回の安定点灯時の点灯周波数ｆａ１を設定して、点灯開始からランプ電圧Ｖｌａが上昇しているときに、ランプ電圧Ｖｌａ＝Ｖｌａ５〜Ｖｌａ６となる期間で、点灯周波数ｆａを、点灯周波数ｆａ１より高いｆａ５に設定する。
【００４９】
（４）前回の安定点灯時のランプ電力Ｐｌａ＝定格電力Ｐｆで、今回の点灯開始時にランプ電力Ｐｌａ＝調光電力Ｐｄとした場合も、点灯開始から安定点灯に達するまでの所定期間において、前回の点灯安定時の点灯周波数より高い点灯周波数に設定する。
【００５０】
上記点灯周波数ｆａ２，ｆａ４，ｆａ５は、前回の安定点灯時の点灯周波数ｆ０より高い周波数に設定されていることが条件である。しかし、点灯周波数ｆａ１とｆａ３との大小関係や、点灯周波数ｆａ２とｆａ４とｆａ５との大小関係は、図５に示す関係を満たす必要はなく、ランプ電圧Ｖｌａの上昇を抑制する周波数に適宜設定すればよい。
【００５１】
また、一時的に高い点灯周波数ｆａ２，ｆａ４，ｆａ５を設定するタイミングであるランプ電圧Ｖｌａ１，Ｖｌａ３，Ｖｌａ５は、図５では点灯開始後のランプ電圧Ｖｌａが上昇している過程に設定されているが、スイッチング素子Ｑ２〜Ｑ５のスイッチング周波数が、始動時の高周波から点灯開始時の低周波に移行したタイミングで点灯周波数ｆａ２，ｆａ４，ｆａ５を設定してもよい。
【００５２】
また、図５では、点灯周波数ｆａ２，ｆａ５を今回の安定点灯周波数ｆａ１に戻すタイミングであるランプ電圧Ｖｌａ２，Ｖｌａ６は、Ｆｕｌｌ点灯時の定電力制御が開始されるランプ電圧に設定され、点灯周波数ｆａ４を今回の安定点灯周波数ｆａ３に戻すタイミングであるランプ電圧Ｖｌａ４は、Ｄｉｍ点灯時の定電力制御が開始されるランプ電圧に設定されているが、定電力制御が開始されるランプ電圧以下または以上であってもよい。すなわち、電圧Ｖｌａ１〜Ｖｌａ６は、ランプ電圧Ｖｌａの上昇抑制に効果的な電圧に適宜設定すればよい。
【００５３】
（第３の構成）
第３の構成では、第２の構成と同様に、前回の安定点灯時のランプ電圧Ｖｌａに基づいて、データテーブル４１ｃを参照して、点灯開始から安定点灯に達するまでの所定期間の点灯周波数ｆａを選択しているが、当該所定期間を点灯開始からの経過時間で設定する点が第２の構成とは異なり、その動作を図７に示す。なお、図７（ａ）は、点灯開始からの経過時間ｔとランプ電力Ｐｌａとの関係を、定格点灯（Ｆｕｌｌ点灯）時と、調光点灯（Ｄｉｍ点灯）時との各々について示し、図７（ｂ）は、点灯開始からの経過時間ｔとランプ電流Ｉｌａとの関係を、定格点灯（Ｆｕｌｌ点灯）時と、調光点灯（Ｄｉｍ点灯）時との各々について示しており、所定時間で定電流制御から定電力制御に移行している。
【００５４】
そして、点灯周波数設定部４１ａは、データテーブル４１ｃを参照して下記（１）〜（４）の制御を行う（図７参照）。
【００５５】
（１）前回の安定点灯時のランプ電力Ｐｌａ＝定格電力Ｐｆで、今回の点灯開始時にランプ電力Ｐｌａ＝定格電力Ｐｆとした場合、前回の安定点灯時のランプ電圧Ｖｌａに基づいて、データテーブル４１ｃを参照して点灯周波数ｆａ２を選択し、図７（ｃ）に示すように、点灯開始時に今回の安定点灯時の点灯周波数ｆａ１を設定した後、点灯開始からの経過時間ｔ１〜ｔ２の期間で、点灯周波数ｆａを、点灯周波数ｆａ１より高いｆａ２に設定する。
【００５６】
（２）前回の安定点灯時のランプ電力Ｐｌａ＝調光電力Ｐｄで、今回の点灯開始時にランプ電力Ｐｌａ＝調光電力Ｐｄとした場合、前回の安定点灯時のランプ電圧Ｖｌａに基づいて、データテーブル４１ｃを参照して点灯周波数ｆａ４を選択し、図７（ｄ）に示すように、点灯開始時に今回の安定点灯時の点灯周波数ｆａ３を設定した後、点灯開始からの経過時間ｔ３〜ｔ４の期間で、点灯周波数ｆａを、点灯周波数ｆａ３より高いｆａ４に上設定する。
【００５７】
（３）前回の安定点灯時のランプ電力Ｐｌａ＝調光電力Ｐｄで、今回の点灯開始時にランプ電力Ｐｌａ＝定格電力Ｐｆとした場合、前回の安定点灯時のランプ電圧Ｖｌａに基づいて、データテーブル４１ｃを参照して点灯周波数ｆａ５を選択し、図７（ｅ）に示すように、点灯開始時に今回の安定点灯時の点灯周波数ｆａ１を設定した後、点灯開始からの経過時間ｔ５〜ｔ６の期間で、点灯周波数ｆａを、点灯周波数ｆａ１より高いｆａ５に設定する。
【００５８】
（４）前回の安定点灯時のランプ電力Ｐｌａ＝定格電力Ｐｆで、今回の点灯開始時にランプ電力Ｐｌａ＝調光電力Ｐｄとした場合も、点灯開始から所定時間が経過した時点で、点灯周波数ｆａを高くする期間を設ける。
【００５９】
上記点灯周波数ｆａ２，ｆａ４，ｆａ５は、前回の安定点灯時の点灯周波数ｆ０より高い周波数に設定されていることが条件である。しかし、点灯周波数ｆａ１とｆａ３との大小関係や、点灯周波数ｆａ２とｆａ４とｆａ５との大小関係は、図７に示す関係を満たす必要はなく、ランプ電圧Ｖｌａの上昇を抑制する周波数に適宜設定すればよい。
【００６０】
また、一時的に高い点灯周波数ｆａ２，ｆａ４，ｆａ５を設定するタイミングである時間ｔ１，ｔ３，ｔ５は、図７では点灯開始後のランプ電圧Ｖｌａが上昇している過程に設定されているが、スイッチング素子Ｑ２〜Ｑ５のスイッチング周波数が、始動時の高周波から点灯開始時の低周波に移行したタイミングで点灯周波数ｆａ２，ｆａ４，ｆａ５を設定してもよい。
【００６１】
また、図７では、点灯周波数ｆａ２，ｆａ５を今回の安定点灯時の周波数ｆａ１に戻すタイミングである経過時間ｔ２，ｔ６は、Ｆｕｌｌ点灯時の定電力制御が開始されるタイミング以降に設定され、点灯周波数ｆａ４を今回の安定点灯時の周波数ｆａ３に戻すタイミングである経過時間ｔ４は、Ｄｉｍ点灯時の定電力制御が開始されるタイミング以降に設定されているが、このタイミングに限定されない。すなわち、経過時間ｔ１〜ｔ６は、ランプ電圧Ｖｌａの上昇抑制に効果的な時間に適宜設定すればよい。
【００６２】
このように、本実施形態では、点灯開始から安定点灯に達するまでの所定期間に設定する点灯周波数ｆａを、前回の安定点灯時の点灯条件を考慮して最適に制御でき、さらに上記所定期間での点灯周波数ｆａを、前回の安定点灯時の点灯周波数より高くすることで、点灯開始から安定点灯に至るまでのランプ電圧Ｖｌａの上昇を抑えて、ランプの長寿命化を可能にし、さらに定電力領域では、ランプ電圧Ｖｌａの上昇によるランプ電流の減少が発生しないので、電極温度が低下することなく、アークジャンプの発生抑制が可能となる。また、電流制限領域ではランプ電流Ｉｌａの半周期の時間が短くなることで、陽極時の電極の過度の温度上昇を抑制できる。したがって、安定点灯時の点灯条件の履歴を考慮して電力変換回路の出力を最適に制御でき、点灯開始から安定点灯に至るまでのランプ電圧Ｖｌａの上昇を抑えて、ランプの長寿命化や、アークジャンプの発生抑制が可能になる。
【００６３】
（実施形態２）
図８は、本実施形態の放電灯点灯装置の回路構成を示し、マイコン４１は、点灯周波数設定部４１ａと、電力制御用基準信号生成部４１ｂと、データテーブル４１ｃと、Ａ／Ｄ変換部４１ｄと、時間計測処理部４１ｅと、メモリ部４１ｆとを備える。Ａ／Ｄ変換部４１ｄは、ランプ電圧検出回路３からのランプ電圧検出信号Ｙｖをデジタル信号に変換して、電力制御用基準信号生成部４１ｂ、メモリ部４１ｆに出力する。
【００６４】
点灯周波数設定部４１ａは、ランプ電圧検出信号Ｙｖや、時間計測処理部４１ｅで計時した時間に基づいて、極性反転回路２のスイッチング素子Ｑ２〜Ｑ５のスイッチング周波数（点灯周波数）を決定して、このスイッチング周波数に応じたインバータ制御信号Ｙｆ１，Ｙｆ２をフルブリッジ制御回路４３へ出力する。フルブリッジ制御回路４３は、インバータ制御信号Ｙｆ１，Ｙｆ２で指示されるスイッチング周波数で、極性反転回路２のスイッチング素子Ｑ２〜Ｑ５をオン・オフ駆動するように、ドライブ回路２１，２２を制御する。
【００６５】
電力制御用基準信号生成部４１ｂは、ランプ電圧検出信号Ｙｖや、データテーブル４１ｃ、メモリ部４１ｆに格納している各データや、時間計測処理部４１ｅで計時した時間に基づいてＰＷＭ信号Ｙｍ１を出力する。ＰＷＭ信号Ｙｍ１は、ランプ電流の実効値Ｉｌａ（以降、ランプ電流Ｉｌａと称す）が所望の値となるようにデューティを設定されており、抵抗Ｒ４とコンデンサＣ３よりなるフィルタ回路によって平滑されて、当該直流電圧がチョッパ制御基準信号Ｙｐ１としてＰＷＭ制御回路４２に入力される。そして、ＰＷＭ制御回路４２は、チョッパ制御基準信号Ｙｐ１と電流検出信号Ｙｉとに基づいて、降圧チョッパ回路１のスイッチング素子Ｑ１をオン・オフ駆動する。
【００６６】
上記のように、電力制御用基準信号生成部４１ｂが、データテーブル４１ｃ、メモリ部４１ｆに格納している各データを参照してランプ電流Ｉｌａを制御することで、ランプ電圧Ｖｌａの上昇を抑制する点が実施形態１とは異なる点であり、実施形態１と同様の構成には同一の符号を付して説明は省略する。
【００６７】
そして、ランプ点灯開始から安定点灯に至るまでのランプへの出力制御は、ランプ電圧Ｖｌａが所定電圧に達するまでは、ランプ電流Ｉｌａが制限電流Ｉ０を超えないように定電流制御を行い、ランプ電圧Ｖｌａが所定電圧に達してから以後は、ランプ電力Ｐｌａを一定に制御する定電力制御に移行するのであるが、本実施形態では、点灯開始から安定点灯に達するまでの所定期間において、電力制御用基準信号生成部４１ｂが、メモリ部４１ｆに格納している前回の安定点灯時の点灯条件に基づいて、ランプ電流Ｉｌａを、定電流制御領域の制限電流Ｉ０から減少させている。したがって、安定点灯に達するまでにランプ電流Ｉｌａを制限電流Ｉ０より小さくする期間を設けて、ランプ電圧Ｖｌａの上昇を抑制しており、この動作を実現する第１の構成〜第３の構成について、以下説明する。なお、上記所定期間は、少なくとも定電流制御領域の一部を含むものとする。
【００６８】
（第１の構成）
第１の構成において、データテーブル４１ｃには、図９に示すように、前回の安定点灯時（消灯前）のランプ電力Ｐｌａに対応して、点灯開始から安定点灯に達するまでの所定期間のランプ電流Ｉｌａの値Ｉ１，Ｉ２を予め格納しており、電力制御用基準信号生成部４１ｂは、このデータテーブル４１ｃを参照して、上記所定期間のランプ電流Ｉｌａの値を設定し、下記（１）（２）の制御を行う（図１０参照）。
【００６９】
（１）前回の安定点灯時のランプ電力Ｐｌａ＝定格電力Ｐｆである場合、点灯開始から安定点灯に達するまでの所定期間において、制限電流Ｉ０より小さいランプ電流Ｉｌａ＝Ｉ１（但し、Ｉ１＜Ｉ０）を設定する。
【００７０】
（２）前回の安定点灯時のランプ電力Ｐｌａ＝調光電力Ｐｄである場合、点灯開始から安定点灯に達するまでの所定期間において、制限電流Ｉ０より小さいランプ電流Ｉｌａ＝Ｉ２（但し、Ｉ２＜Ｉ１＜Ｉ０）を設定する。
【００７１】
また、図９、図１０では、前回の安定点灯時のランプ電力Ｐｌａに応じて、今回の点灯開始時のランプ電流Ｉｌａを決定しているが、前回の安定点灯時のランプ電力Ｐｌａと今回の点灯開始時のランプ電力Ｐｌａとに応じて、今回の点灯開始時のランプ電流Ｉｌａを決定してもよい。さらに、本実施形態では、電力切替を定格電力Ｐｆと調光電力Ｐｄとの２段階にしているが、３段階以上の多段階調光や、連続調光の場合も、図１０内の破線ｄ示す特性Ｘ１に沿って、前回の安定点灯時のランプ電力Ｐｌａに対応して、上記所定期間のランプ電流を設定すればよい。
【００７２】
（第２の構成）
第２の構成では、前回の安定点灯時のランプ電圧Ｖｌａに基づいて、点灯開始から安定点灯に達するまでの所定期間のランプ電流Ｉｌａの値を設定し、さらに当該所定期間をランプ電圧Ｖｌａで設定しており、その動作を図１１、図１２に示す。
【００７３】
データテーブル４１ｃには、図１３に示すように、前回の安定点灯時（消灯前）のランプ電圧Ｖｌａをその大きさによってｎ段階に分けて（Ｖ１〜Ｖ２、Ｖ２〜Ｖ３、．．．．．．、Ｖｎ〜Ｖｎ＋１）、各段階に対応して上記所定期間のランプ電流Ｉ１〜Ｉｎを予め格納している。ランプ電流Ｉ１〜Ｉｎは、さらに今回の点灯開始時の点灯電力Ｐｌａ＝定格電力Ｐｆのときのランプ電流Ｉｆ１〜Ｉｆｎと、今回の点灯開始時の点灯電力Ｐｌａ＝調光電力Ｐｄのときのランプ電流Ｉｄ１〜Ｉｄｎとに分けられる。
【００７４】
電力制御用基準信号生成部４１ｂは、データテーブル４１ｃを参照して、前回の安定点灯時のランプ電圧Ｖｌａに対応するランプ電流Ｉ１〜Ｉｎから、上記所定期間のランプ電流Ｉａを選択する。このランプ電流Ｉ１〜Ｉｎは、図１１に示すように、定電流制御領域の制限電流Ｉ０より低くなるように設定されている。また、ｎ段階に分けたランプ電圧Ｖｌａの各範囲は、Ａ／Ｄ変換部４１ｄの１ビット単位毎に設定してもよく、または数ビット〜数百ビット毎に設定してもよい。
【００７５】
そして、電力制御用基準信号生成部４１ｂは、このデータテーブル４１ｃを参照して下記（１）〜（４）の制御を行う（図１２参照）。なお、図１２（ａ）は、ランプ電圧Ｖｌａとランプ電力Ｐｌａとの関係を、定格点灯（Ｆｕｌｌ点灯）時と、調光点灯（Ｄｉｍ点灯）時との各々について示し、点灯開始からランプ電圧Ｖｌａが上昇して、所定電圧で定電流制御から定電力制御に移行している。
【００７６】
（１）前回の安定点灯時のランプ電力Ｐｌａ＝定格電力Ｐｆで、今回の点灯開始時にランプ電力Ｐｌａ＝定格電力Ｐｆとした場合、前回の安定点灯時のランプ電圧Ｖｌａに基づいて、データテーブル４１ｃを参照してランプ電流Ｉｌａ１を選択し、図１２（ｂ）に示すように、点灯開始からランプ電流Ｉｌａが制限電流Ｉ０に制御されているときに、ランプ電圧Ｖｌａ＝Ｖｌａ１〜Ｖｌａ２となる期間で、ランプ電流Ｉｌａを、制限電流Ｉ０より低いＩｌａ１に減少させる。
【００７７】
（２）前回の安定点灯時のランプ電力Ｐｌａ＝調光電力Ｐｄで、今回の点灯開始時にランプ電力Ｐｌａ＝調光電力Ｐｄとした場合、前回の安定点灯時のランプ電圧Ｖｌａに基づいて、データテーブル４１ｃを参照してランプ電流Ｉｌａ２を選択し、図１２（ｃ）に示すように、点灯開始からランプ電流Ｉｌａが制限電流Ｉ０に制御されているときに、ランプ電圧Ｖｌａ＝Ｖｌａ３〜Ｖｌａ４となる期間で、ランプ電流Ｉｌａを、制限電流Ｉ０より低いＩｌａ２に減少させる。
【００７８】
（３）前回の安定点灯時のランプ電力Ｐｌａ＝調光電力Ｐｄで、今回の点灯開始時にランプ電力Ｐｌａ＝定格電力Ｐｆとした場合、前回の安定点灯時のランプ電圧Ｖｌａに基づいて、データテーブル４１ｃを参照してランプ電流Ｉｌａ３を選択し、図１２（ｄ）に示すように、点灯開始からランプ電流Ｉｌａが制限電流Ｉ０に制御されているときに、ランプ電圧Ｖｌａ＝Ｖｌａ５〜Ｖｌａ６となる期間で、ランプ電流Ｉｌａを、制限電流Ｉ０より低いＩｌａ３に減少させる。
【００７９】
（４）前回の安定点灯時のランプ電力Ｐｌａ＝定格電力Ｐｆで、今回の点灯開始時にランプ電力Ｐｌａ＝調光電力Ｐｄとした場合も、点灯開始から安定点灯に達するまでの所定期間において、ランプ電流Ｉｌａを、制限電流Ｉ０より低い値に設定する。
【００８０】
上記ランプ電流Ｉｌａ１，Ｉｌａ２，Ｉｌａ３は、制限電流Ｉ０より低い値に設定されていることが条件である。しかし、ランプ電流Ｉｌａ１，Ｉｌａ２，Ｉｌａ３の大小関係は、図１２に示すようにＩｌａ１＞Ｉｌａ２＞Ｉｌａ３の関係を満たす必要はなく、ランプ電圧Ｖｌａの上昇を抑制するランプ電流値に適宜設定すればよい。
【００８１】
また、一時的に低いランプ電流Ｉｌａ１，Ｉｌａ２，Ｉｌａ３を設定するタイミングであるランプ電圧Ｖｌａ１，Ｖｌａ３，Ｖｌａ５は、図１２では点灯開始後のランプ電圧Ｖｌａが上昇している過程に設定されているが、スイッチング素子Ｑ２〜Ｑ５のスイッチング周波数が、始動時の高周波から点灯開始時の低周波に移行したタイミングでランプ電流Ｉｌａ１，Ｉｌａ２，Ｉｌａ３を設定してもよい。
【００８２】
また、図１２では、ランプ電流Ｉｌａ１，Ｉｌａ３を制限電流Ｉ０に戻すタイミングであるランプ電圧Ｖｌａ２，Ｖｌａ６は、Ｆｕｌｌ点灯時の定電力制御が開始されるランプ電圧に設定され、ランプ電流Ｉｌａ２を制限電流Ｉ０に戻すタイミングであるランプ電圧Ｖｌａ４は、Ｄｉｍ点灯時の定電力制御が開始されるランプ電圧に設定されているが、定電力制御が開始されるランプ電圧以下または以上であってもよい。すなわち、電圧Ｖｌａ１〜Ｖｌａ６は、ランプ電圧Ｖｌａの上昇抑制に効果的な電圧に適宜設定すればよい。
【００８３】
（第３の構成）
第３の構成では、第２の構成と同様に、前回の安定点灯時のランプ電圧Ｖｌａに基づいて、データテーブル４１ｃを参照して、点灯開始から安定点灯に達するまでの所定期間のランプ電流Ｉｌａを選択しているが、当該所定期間を点灯開始からの経過時間で設定する点が第２の構成とは異なり、その動作を図１４に示す。
【００８４】
図１４（ａ）は、点灯開始からの経過時間ｔとランプ電力Ｐｌａとの関係を示し、図１４（ｂ）は、点灯開始からの経過時間ｔとランプ電流Ｉｌａとの関係を示しており、点灯開始からランプ電流Ｉｌａが制限電流Ｉ０に制御されているときに、点灯開始からの経過時間ｔ１〜ｔ２の期間で、ランプ電流Ｉｌａを、制限電流Ｉ０より低いＩｌａ１に減少させている。
【００８５】
このランプ電流Ｉｌａ１は、（１）前回の安定点灯時のランプ電力Ｐｌａ＝定格電力Ｐｆで、今回の点灯開始時にランプ電力Ｐｌａ＝定格電力Ｐｆとした場合、（２）前回の安定点灯時のランプ電力Ｐｌａ＝調光電力Ｐｄで、今回の点灯開始時にランプ電力Ｐｌａ＝調光電力Ｐｄとした場合、（３）前回の安定点灯時のランプ電力Ｐｌａ＝調光電力Ｐｄで、今回の点灯開始時にランプ電力Ｐｌａ＝定格電力Ｐｆとした場合、（４）前回の安定点灯時のランプ電力Ｐｌａ＝定格電力Ｐｆで、今回の点灯開始時にランプ電力Ｐｌａ＝調光電力Ｐｄとした場合  の各パターンに応じて設定され、経過時間ｔ１，ｔ２も上記（１）〜（４）の各パターンに応じて設定される。
【００８６】
または、ランプ電流Ｉｌａ１は、前回の安定点灯時のランプ電力Ｐｌａとランプ電圧Ｖｌａから算出されるランプ電流（Ｐｌａ／Ｖｌａ）に設定してもよい。この場合のランプ電流Ｉｌａ１を制限電流Ｉ０に戻すタイミングである経過時間ｔ２は、点灯開始後にランプ電圧Ｖｌａが徐々に上昇しているときのランプ電力Ｐｌａが、所定のランプ電力に達したときに設定される。例えば、今回の点灯開始時にランプ電力Ｐｌａ＝定格電力Ｐｆとした場合と、今回の点灯開始時にランプ電力Ｐｌａ＝調光電力Ｐｄとした場合とで、ランプ電流Ｉｌａ１を同値とすると、上記経過時間ｔ２は、今回の点灯開始時にランプ電力Ｐｌａ＝定格電力Ｐｆとした場合と、今回の点灯開始時にランプ電力Ｐｌａ＝調光電力Ｐｄとした場合とで異なる時間に設定される。また、今回の点灯開始時にランプ電力Ｐｌａ＝定格電力Ｐｆとした場合と、今回の点灯開始時にランプ電力Ｐｌａ＝調光電力Ｐｄとした場合とで、ランプ電流Ｉｌａ１を異なる値にすると、上記経過時間ｔ２は、今回の点灯開始時にランプ電力Ｐｌａ＝定格電力Ｐｆとした場合と、今回の点灯開始時にランプ電力Ｐｌａ＝調光電力Ｐｄとした場合とで同一時間に設定される。
【００８７】
また、ランプ電流Ｉｌａ１を設定するタイミングである経過時間ｔ１は、図１４では点灯開始後のランプ電圧Ｖｌａが上昇している過程に設定されているが、スイッチング素子Ｑ２〜Ｑ５のスイッチング周波数が、始動時の高周波から点灯開始時の低周波に移行したタイミングでランプ電流Ｉｌａ１を設定してもよい。
【００８８】
すなわち、経過時間ｔ１，ｔ２は、ランプ電圧Ｖｌａの上昇抑制に効果的な時間に適宜設定すればよい。
【００８９】
このように、本実施形態では、点灯開始から安定点灯に達するまでの所定期間に設定するランプ電流Ｉｌａを、前回の安定点灯時の点灯条件を考慮して最適に制御でき、さらに上記所定期間でのランプ電流Ｉｌａを、定電流制御領域の制限電流Ｉ０より小さくすることで、点灯開始から安定点灯に至るまでのランプ電圧Ｖｌａの上昇を抑えて、ランプの長寿命化を可能にし、さらに定電力領域では、ランプ電圧Ｖｌａの上昇によるランプ電流の減少が発生しないので、電極温度が低下することなく、アークジャンプの発生抑制が可能となる。また、電流制限領域では電極の過度の温度上昇を抑制できる。したがって、安定点灯時の点灯条件の履歴を考慮して電力変換回路の出力を最適に制御でき、点灯開始から安定点灯に至るまでのランプ電圧Ｖｌａの上昇を抑えて、ランプの長寿命化や、アークジャンプの発生抑制が可能になる。
【００９０】
（実施形態３）
図１５は、本実施形態の放電灯点灯装置の回路構成を示し、マイコン４１は、点灯周波数設定部４１ａと、電力制御用基準信号生成部４１ｂと、データテーブル４１ｃと、Ａ／Ｄ変換部４１ｄと、時間計測処理部４１ｅと、メモリ部４１ｆとを備える。Ａ／Ｄ変換部４１ｄは、ランプ電圧検出回路３からのランプ電圧検出信号Ｙｖをデジタル信号に変換して、点灯周波数設定部４１ａ、電力制御用基準信号生成部４１ｂ、メモリ部４１ｆに出力する。
【００９１】
点灯周波数設定部４１ａは、ランプ電圧検出信号Ｙｖや、データテーブル４１ｃ、メモリ部４１ｆに格納している各データや、時間計測処理部４１ｅで計時した時間に基づいて、極性反転回路２のスイッチング素子Ｑ２〜Ｑ５のスイッチング周波数（点灯周波数）を決定して、このスイッチング周波数に応じたインバータ制御信号Ｙｆ１，Ｙｆ２をフルブリッジ制御回路４３へ出力する。フルブリッジ制御回路４３は、インバータ制御信号Ｙｆ１，Ｙｆ２で指示されるスイッチング周波数で、極性反転回路２のスイッチング素子Ｑ２〜Ｑ５をオン・オフ駆動するように、ドライブ回路２１，２２を制御する。
【００９２】
電力制御用基準信号生成部４１ｂは、ランプ電圧検出信号Ｙｖや、データテーブル４１ｃ、メモリ部４１ｆに格納している各データや、時間計測処理部４１ｅで計時した時間に基づいてＰＷＭ信号Ｙｍ１を出力する。ＰＷＭ信号Ｙｍ１は、ランプ電流の実効値Ｉｌａ（以降、ランプ電流Ｉｌａと称す）が所望の値となるようにデューティを設定されており、抵抗Ｒ４とコンデンサＣ３よりなるフィルタ回路によって平滑されて、当該直流電圧がチョッパ制御基準信号Ｙｐ１としてＰＷＭ制御回路４２に入力される。そして、ＰＷＭ制御回路４２は、チョッパ制御基準信号Ｙｐ１と電流検出信号Ｙｉとに基づいて、降圧チョッパ回路１のスイッチング素子Ｑ１をオン・オフ駆動する。
【００９３】
上記のように、点灯周波数設定部４１ａと電力制御用基準信号生成部４１ｂとの両方がデータテーブル４１ｃ、メモリ部４１ｆに格納している各データを参照して、点灯周波数ｆａとランプ電流Ｉｌａの両方を制御する点が実施形態１，２とは異なる点であり、実施形態１，２と同様の構成には同一の符号を付して説明は省略する。
【００９４】
そして、ランプ点灯開始から安定点灯に至るまでのランプへの出力制御は、ランプ電圧Ｖｌａが所定電圧に達するまでは、ランプ電流Ｉｌａが制限電流Ｉ０を超えないように定電流制御を行い、ランプ電圧Ｖｌａが所定電圧に達してから以後は、ランプ電力Ｐｌａを一定に制御する定電力制御に移行するのであるが、本実施形態では、点灯開始から安定点灯に達するまでの所定期間において、点灯周波数設定部４１ａが、メモリ部４１ｆに格納している前回の安定点灯時の点灯条件に基づいて、点灯周波数ｆａを前回の安定点灯時の点灯周波数より高くし、さらに電力制御用基準信号生成部４１ｂが、メモリ部４１ｆに格納している前回の安定点灯時の点灯条件に基づいて、ランプ電流Ｉｌａを、定電流制御領域の制限電流Ｉ０より小さくしている。したがって、安定点灯に達するまでに点灯周波数ｆａを高くし、ランプ電流Ｉｌａを制限電流Ｉ０より小さくする期間を設けるので、実施形態２よりもランプ電流Ｉｌａを多く流すことができ、光束の立ち上がりを確保しつつ、ランプ電圧Ｖｌａの上昇を抑制しており、この動作を実現する第１の構成〜第３の構成について、以下説明する。なお、上記所定期間は、少なくとも定電流制御領域の一部を含むものとする。
【００９５】
（第１の構成）
第１の構成では、前回の安定点灯時の点灯周波数ｆａに基づいて、点灯開始から安定点灯に達するまでの所定期間のランプ電流Ｉｌａの値を設定しており、その動作を図１６に示す。データテーブル４１ｃには、図１７に示すように、前回の安定点灯時（消灯前）の点灯周波数ｆａをその高低によってｎ段階に分けて（ｆ１〜ｆ２、ｆ２〜ｆ３、．．．．．．、ｆｎ〜ｆｎ＋１）、各段階に対応して上記所定期間のランプ電流Ｉ１〜Ｉｎを予め格納している。ランプ電流Ｉ１〜Ｉｎは、さらに今回の点灯開始時の点灯電力Ｐｌａ＝定格電力Ｐｆのときのランプ電流Ｉｆ１〜Ｉｆｎと、今回の点灯開始時の点灯電力Ｐｌａ＝調光電力Ｐｄのときのランプ電流Ｉｄ１〜Ｉｄｎとに分けられる。
【００９６】
電力制御用基準信号生成部４１ｂは、データテーブル４１ｃを参照して、前回の安定点灯時の点灯周波数ｆａに対応するランプ電流Ｉ１〜Ｉｎから、上記所定期間のランプ電流Ｉａを選択する。このランプ電流Ｉ１〜Ｉｎは、図１６に示すように、定電流制御領域の制限電流Ｉ０より低くなるように設定されている。
【００９７】
そして、電力制御用基準信号生成部４１ｂは、このデータテーブル４１ｃを参照して実施形態２の第２、第３の構成と同様に、上記所定期間において、ランプ電流Ｉｌａを制限電流Ｉ０より小さいランプ電流Ｉ１〜Ｉｎいずれかに設定する。なお、図１６では、ランプ電流Ｉ１〜Ｉｎをステップ状に変化させているが、連続的に変化させてもよく、ランプ電圧Ｖｌａの上昇を抑制できるランプ電流に設定されればよい。
【００９８】
また、上記所定期間での点灯周波数ｆａを前回の安定点灯時の点灯周波数より高くする方法は、実施形態１で説明した第１の構成〜第３の構成のいずれかで実現できる。
【００９９】
（第２の構成）
第２の構成では、実施形態１で説明した第２の構成を用いて、点灯開始から安定点灯に達するまでの所定期間の点灯周波数ｆａを設定するとともに、実施形態２で説明した第２の構成を用いて、上記所定期間のランプ電流Ｉｌａの値を設定しており、上記所定期間をランプ電圧Ｖｌａで設定する例を、図１８に示す。なお、図１８（ａ）では、ランプ電圧Ｖｌａとランプ電力Ｐｌａとの関係を示し、ランプ電圧Ｖｌａ２で定電流制御領域から定電力制御領域に移行している。
【０１００】
そして、図１８（ｂ）に示すように、点灯開始からランプ電流Ｉｌａが制限電流Ｉ０に制御されているときに、ランプ電圧Ｖｌａ＝Ｖｌａ１〜Ｖｌａ２となる期間で、ランプ電流Ｉｌａを、制限電流Ｉ０より低いＩｌａ１に減少させるとともに、図１８（ｃ）に示すように、今回の安定点灯時の点灯周波数ｆａ１を設定して、点灯開始からランプ電圧Ｖｌａが上昇しているときに、ランプ電圧Ｖｌａ＝Ｖｌａ１〜Ｖｌａ２となる期間で、点灯周波数ｆａを、点灯周波数ｆａ１より高いｆａ２に設定する。
【０１０１】
また、図１８でランプ電流Ｉｌａ１、点灯周波数ｆａ２を設定するタイミングは、点灯開始後のランプ電圧Ｖｌａが上昇している過程に設定されているが、スイッチング素子Ｑ２〜Ｑ５のスイッチング周波数が、始動時の高周波から点灯開始時の低周波に移行したタイミングで設定してもよい。
【０１０２】
また、図１８のランプ電圧Ｖｌａ２は、定電力制御が開始されるランプ電圧に設定されているが、定電力制御が開始されるランプ電圧以下または以上であってもよい。
【０１０３】
また、図１８では、ランプ電流Ｉｌａを変化させるランプ電圧と、点灯周波数ｆａを変化させるランプ電圧とを同一に設定しているが、異なるランプ電圧に設定してもよい。例えば、ランプ電流ＩｌａをＩｌａに設定するランプ電圧と、点灯周波数ｆａをｆａ２に設定するランプ電圧とを同一に設定し、ランプ電流Ｉｌａを制限電流Ｉ０に戻すランプ電圧は、定電力制御が開始されるランプ電圧に設定し、点灯周波数ｆａを今回の安定点灯時の周波数ｆａ１に戻すランプ電圧は、定電力制御が開始されて以降のランプ電圧に設定すれば、定電力制御領域において、ランプ電力Ｐｌａを定電力に維持しつつ、点灯周波数ｆａを高い周波数ｆａ２にしてランプ電圧Ｖｌａの上昇を抑制できる。すなわち、電圧Ｖｌａ１，Ｖｌａ２は、ランプ電圧Ｖｌａの上昇抑制に効果的な電圧に適宜設定すればよい。
【０１０４】
（第３の構成）
第３の構成では、実施形態１で説明した第３の構成を用いて、上記所定期間の点灯周波数ｆａを設定するとともに、実施形態２で説明した第３の構成を用いて、上記所定期間のランプ電流Ｉｌａの値を設定しており、制御タイミングを点灯開始からの経過時間で設定する例を、図１９に示す。なお、図１９（ａ）では、点灯開始からの経過時間ｔとランプ電力Ｐｌａとの関係を示し、経過時間ｔ２で定電流制御領域から定電力制御領域に移行している。
【０１０５】
そして、図１９（ｂ）に示すように、点灯開始からランプ電流Ｉｌａが制限電流Ｉ０に制御されているときに、点灯開始からの経過時間ｔ１〜ｔ２の期間で、ランプ電流Ｉｌａを、制限電流Ｉ０より低いＩｌａ１に減少させるとともに、図１９（ｃ）に示すように、今回の安定点灯時の点灯周波数ｆａ１を設定して、点灯開始からランプ電圧Ｖｌａが上昇しているときに、点灯開始からの経過時間ｔ１〜ｔ２の期間で、点灯周波数ｆａを、点灯周波数ｆａ１より高いｆａ２に設定する。
【０１０６】
また、図１９の経過時間ｔ１は、点灯開始後のランプ電圧Ｖｌａが上昇している過程に設定されているが、スイッチング素子Ｑ２〜Ｑ５のスイッチング周波数が、始動時の高周波から点灯開始時の低周波に移行したタイミングに設定してもよい。
【０１０７】
また、図１９の経過時間ｔ２は、定電力制御が開始されるタイミングに設定されているが、定電力制御が開始されるタイミング以前または以降であってもよい。
【０１０８】
また、図１９では、ランプ電流Ｉｌａを変化させるタイミングと、点灯周波数ｆａを変化させるタイミングとを同一に設定しているが、異なるタイミングに設定してもよい。すなわち、経過時間ｔ１，ｔ２は、ランプ電圧Ｖｌａの上昇抑制に効果的な時間に適宜設定すればよい。
【０１０９】
このように、本実施形態では、点灯開始から安定点灯に達するまでの所定期間に設定する点灯周波数ｆａおよびランプ電流Ｉｌａを、前回の安定点灯時の点灯条件を考慮して最適に制御でき、さらに上記所定期間での点灯周波数ｆａを、前回の安定点灯時の点灯周波数より高くし、上記所定期間でのランプ電流Ｉｌａを、定電流制御領域の制限電流Ｉ０より小さくすることで、点灯開始から安定点灯に至るまでのランプ電圧Ｖｌａの上昇を抑えて、ランプの長寿命化を可能にし、さらに定電力領域では、ランプ電圧Ｖｌａの上昇によるランプ電流の減少が発生しないので、電極温度が低下することなく、アークジャンプの発生抑制が可能となる。また、電流制限領域では、ランプ電流Ｉｌａの半周期の時間が短くなること、およびランプ電流Ｉｌａが減少することで、電極の過度の温度上昇を抑制できる。したがって、安定点灯時の点灯条件の履歴を考慮して電力変換回路の出力を最適に制御でき、点灯開始から安定点灯に至るまでのランプ電圧Ｖｌａの上昇を抑えて、ランプの長寿命化や、アークジャンプの発生抑制が可能になる。また、また、点灯周波数ｆａの制御とランプ電流Ｉｌａの制御とを組み合わせることで、ランプ電流Ｉｌａを多く流すことができ、光束の立ち上がりの速度を確保することができる。
【０１１０】
（実施形態４）
実施形態１，３において、点灯開始から安定点灯に達するまでの所定期間において、点灯周波数設定部４１ａが、メモリ部４１ｆに格納している前回の安定点灯時の点灯条件に基づいて、点灯周波数ｆａを前回の安定点灯時の点灯周波数より高くしているが、本実施形態では、点灯周波数ｆａを、前回の安定点灯時における点灯周波数より高くする前に、前回の安定点灯時における点灯周波数より低くする期間を設けている。したがって、点灯開始直後の期間はランプ電圧Ｖｌａの上昇に起因しないので、この期間の点灯周波数を低くすることで、電極の温度上昇を促進して光束の立ち上がり速度を速くすることができ、この動作を実現する第１、第２の構成について、以下説明する。
【０１１１】
（第１の構成）
第１の構成では、実施形態１で説明した第２の構成を用いて、上記所定期間の点灯周波数ｆａを設定しており、その制御タイミングをランプ電圧Ｖｌａで設定する例を、図２０に示す。なお、図２０（ａ）では、ランプ電圧Ｖｌａとランプ電力Ｐｌａとの関係を示し、ランプ電圧Ｖｌａ２で定電流制御領域から定電力制御領域に移行している。
【０１１２】
そして、図２０（ｂ）に示すように、点灯開始からランプ電圧Ｖｌａが上昇して、ランプ電圧Ｖｌａ＝Ｖｌａ１となるまでの期間で、前回の安定点灯時の点灯周波数ｆ０より低い点灯周波数ｆａ３を設定する。さらにランプ電圧Ｖｌａが上昇して、ランプ電圧Ｖｌａ＝Ｖｌａ１〜Ｖｌａ２となる期間で、点灯周波数ｆａを、前回の安定点灯時の点灯周波数ｆ０より高い点灯周波数ｆａ２に設定し、ランプ電圧Ｖｌａ＝Ｖｌａ２に達してからは、点灯周波数ｆａ３より高く且つ点灯周波数ｆａ２より低い点灯周波数ｆａ１に設定する。
【０１１３】
（第２の構成）
第２の構成では、実施形態１で説明した第３の構成を用いて、上記所定期間の点灯周波数ｆａを設定しており、その制御タイミングを点灯開始からの経過時間で設定する例を、図２１に示す。なお、図２１（ａ）では、点灯開始からの経過時間ｔとランプ電力Ｐｌａとの関係を示し、経過時間ｔ２で定電流制御領域から定電力制御領域に移行している。
【０１１４】
そして、図２１（ｂ）に示すように、点灯開始からの経過時間ｔ１までの期間で、前回の安定点灯時の点灯周波数ｆ０より低い点灯周波数ｆａ３を設定する。さらに、経過時間ｔ１〜ｔ２の期間で、点灯周波数ｆａを、前回の安定点灯時の点灯周波数ｆ０より高い点灯周波数ｆａ２に設定し、経過時間ｔ２以降は、点灯周波数ｆａ３より高く且つ点灯周波数ｆａ２より低い点灯周波数ｆａ１に設定する。
【０１１５】
また、実施形態１〜４において、メモリ部４１ｆへのデータ格納方法は、図２２に示すように、ランプ電力Ｐｌａ、ランプ電圧Ｖｌａ、点灯周波数ｆａ、点灯時間Ｔａの各点灯条件を１セットにして格納し、次の消灯時または点灯条件変更時に、メモリ部４１ｆ内の次の領域に格納しておく。したがって、前回の条件での点灯時間が短い場合、放電ランプＬａの電極の変化が殆どないものとして、前々回の点灯条件を参照することで、今回の点灯条件を最適に決定することができる。さらに、メモリ部４１ｆの残容量が少なくなれば、古いデータから消去して新しいデータを書き込めば、書き換え回数を少なくすることができる。
【０１１６】
また、ランプ電流Ｉｌａは、図２３（ａ）に示す矩形波が一般的であるが、図２３（ｂ）に示すように周期的に極性反転する矩形波形の反転前をパルス状に上昇させて、電流値を一時的に増大させる波形や、図２３（ｃ）に示すように、極性反転する矩形波の１周期分に連続してパルス波形を形成して、電流値を一時的に増大させる波形でもよい。
【０１１７】
（実施形態５）
本実施形態は、上記実施形態１〜４いずれかの放電灯点灯装置を用いた画像表示装置について説明する。図２４は、画像表示装置の構成を示しており、筐体５内に、上記実施形態１〜４いずれかの放電灯点灯装置Ｈと、放電灯点灯装置Ｈによって点灯制御されるショートアークの超高圧水銀灯からなる放電ランプＬａと、光学装置Ｋ１と、電源部Ｋ２と、外部信号入力部Ｋ３と、３つのファンＫ４とを収納して構成され、放電灯点灯装置Ｈ、光学装置Ｋ１、電源部Ｋ２は、メイン制御基板Ｋ５上に実装されている。
【０１１８】
光学装置Ｋ１は、放電ランプＬａからの光を透過または反射する手段と、当該手段を介する透過光または反射光をスクリーンに投射する手段とから構成される。
【０１１９】
画像表示装置に、上記実施形態１〜４いずれかの放電灯点灯装置を用いることで、前回の安定点灯時の点灯条件を考慮して、点灯開始から安定点灯に至るまでのランプ電圧の上昇を抑制することができるので、アークジャンプの発生が抑えられて画像品質が向上し、さらにランプ寿命が長くなるので、ランプの交換回数が少なくなる。
【図面の簡単な説明】
【０１２０】
【図１】実施形態１の放電灯点灯装置の構成を示す図である。
【図２】同上の第１の構成のデータテーブルの構成を示す図である。
【図３】同上の第１の構成の点灯周波数の遷移を示す図である。
【図４】同上の第２の構成の点灯周波数の設定を示す図である。
【図５】（ａ）〜（ｄ）同上の第２の構成の点灯周波数の制御を示す図である。
【図６】同上の第２の構成のデータテーブルの構成を示す図である。
【図７】（ａ）〜（ｅ）同上の第３の構成の点灯周波数の制御を示す図である。
【図８】実施形態２の放電灯点灯装置の構成を示す図である。
【図９】同上の第１の構成のデータテーブルの構成を示す図である。
【図１０】同上の第１の構成の点灯周波数の遷移を示す図である。
【図１１】同上の第２の構成の点灯周波数の設定を示す図である。
【図１２】（ａ）〜（ｄ）同上の第２の構成の点灯周波数の制御を示す図である。
【図１３】同上の第２の構成のデータテーブルの構成を示す図である。
【図１４】（ａ）（ｂ）同上の第３の構成の点灯周波数の制御を示す図である。
【図１５】実施形態３の放電灯点灯装置の構成を示す図である。
【図１６】同上の第１の構成の点灯周波数の設定を示す図である。
【図１７】同上の第１の構成のデータテーブルの構成を示す図である。
【図１８】（ａ）〜（ｃ）同上の第２の構成の点灯周波数の制御を示す図である。
【図１９】（ａ）〜（ｃ）同上の第３の構成の点灯周波数の制御を示す図である。
【図２０】（ａ）（ｂ）実施形態４の第１の構成の点灯周波数の制御を示す図である。
【図２１】（ａ）（ｂ）同上の第２の構成の点灯周波数の制御を示す図である。
【図２２】メモリ部のデータ格納状態を示す図である。
【図２３】（ａ）〜（ｃ）ランプ電流の波形を示す図である。
【図２４】実施形態５の画像表示装置の構成を示す図である。
【図２５】（ａ）〜（ｃ）ランプへの出力制御を示す図である。
【符号の説明】
【０１２１】
１  降圧チョッパ回路
２  極性反転回路
３  ランプ電圧検出回路
４  制御回路
４１  マイコン
４１ｆ  メモリ部
４２  ＰＷＭ制御回路
４３  フルブリッジ制御回路
Ｑ１〜Ｑ５  スイッチング素子
Ｌａ  放電ランプ
【図１】
2008159469.tif 000003
【図２】
2008159469.tif 000004
【図３】
2008159469.tif 000005
【図４】
2008159469.tif 000006
【図５】
2008159469.tif 000007
【図６】
2008159469.tif 000008
【図７】
2008159469.tif 000009
【図８】
2008159469.tif 000010
【図９】
2008159469.tif 000011
【図１０】
2008159469.tif 000012
【図１１】
2008159469.tif 000013
【図１２】
2008159469.tif 000014
【図１３】
2008159469.tif 000015
【図１４】
2008159469.tif 000016
【図１５】
2008159469.tif 000017
【図１６】
2008159469.tif 000018
【図１７】
2008159469.tif 000019
【図１８】
2008159469.tif 000020
【図１９】
2008159469.tif 000021
【図２０】
2008159469.tif 000022
【図２１】
2008159469.tif 000023
【図２２】
2008159469.tif 000024
【図２３】
2008159469.tif 000025
【図２４】
2008159469.tif 000026
【図２５】
2008159469.tif 000027